(57)【特許請求の範囲】
【請求項１】
電子書籍の等級分け方法において、
コンピュータシステムが電子書籍を取得して該電子書籍を記憶装置に保存するステップ、
コンピュータシステムが少なくとも一つの判定基準値と該判定基準値により規定された複数の判定セクションを包含する審査基準を保存するステップ、
コンピュータシステムがプロセッサで該電子書籍の内容を該判定基準値に照らし合わせてそのうち一つの該判定セクションに帰属させるステップ、
コンピュータシステムが該判定セクションに対応し入力装置で編集可能な少なくとも一つのデジタル標示を該記憶装置に保存するステップ、
コンピュータシステムが該デジタル標示を該電子書籍内の少なくとも一つのデジタルページにリンクさせ、リーダーで該電子書籍が読み取られる時に、該デジタル標示が該デジタルページに伴って同時に再生されるようにするステップ、
コンピュータシステムがこれらデジタル標示でこれら電子書籍を少なくとも一つのデジタル本棚に区分するステップ、
以上のステップを包含することを特徴とする、電子書籍の等級分け方法。
【請求項２】
請求項１記載の電子書籍の等級分け方法において、該審査基準が等級分け基準とされ、該デジタル標示は等級分け情報を包含することを特徴とする、電子書籍の等級分け方法。
【請求項３】
請求項２記載の電子書籍の等級分け方法において、該判定基準値が等級分け基準値とされ、該等級分け基準値が二つの判定セクションを規定し、該二つの判定セクションは制限等級セクションと一般等級セクションとされ、該等級分け基準値は、電子書籍中の詳細な暴力、犯罪、色情描写の文字の、全体の該電子書籍中に占める比率が零であることを指し、電子書籍中の詳細な暴力、犯罪、色情描写の文字の、全体の該電子書籍中に占める比率が該等級分け基準値より大きければ、すなわち制限等級セクションに帰属し、電子書籍中の詳細な暴力、犯罪、色情描写の文字の、全体の該電子書籍中に占める比率が該等級分け基準値に等しければ、一般等級セクションに帰属することを特徴とする、電子書籍の等級分け方法。
【請求項４】
請求項１記載の電子書籍の等級分け方法において、該審査基準が著作権判断基準とされ、該デジタル標示が著作権宣告を包含し、該判定基準値は著作権基準値とされることを特徴とする、電子書籍の等級分け方法。
【請求項５】
請求項４記載の電子書籍の等級分け方法において、該判定基準値が著作権基準値とされることを特徴とする、電子書籍の等級分け方法。
【請求項６】
請求項１記載の電子書籍の等級分け方法において、該審査基準が分類基準とされ、該デジタル標示が分類メッセージを包含することを特徴とする、電子書籍の等級分け方法。
【請求項７】
請求項６記載の電子書籍の等級分け方法において、該判定基準値が児童書分類基準値とされ、該児童書分類基準値は二つの判定セクションを画定し、該二つの判定セクションは児童絵本セクションと児童読み物セクションとされ、該児童書分類基準値は、児童書の電子書籍中の図画が該電子書籍全体版面に占める比率が５０％であることを指し、児童書の電子書籍中の図画が該電子書籍全体版面に占める比率が該児童書分類基準値より大きければ、該児童絵本セクションに帰属し、児童書の電子書籍中の図画が該電子書籍全体版面に占める比率が該児童書分類基準値以下であれば、該児童読み物セクションに帰属することを特徴とする、電子書籍の等級分け方法。
【請求項８】
請求項１記載の電子書籍の等級分け方法において、該デジタル標示は警告標語を包含することを特徴とする、電子書籍の等級分け方法。
【請求項９】
請求項１記載の電子書籍の等級分け方法において、該デジタル標示は視覚形式に属し、透かし、ヘッダー、フッター、ページフレームとされることを特徴とする、電子書籍の等級分け方法。
【請求項１０】
請求項１記載の電子書籍の等級分け方法において、該デジタル標示は聴覚形式に属し、提示音声とされることを特徴とする、電子書籍の等級分け方法。
【発明の詳細な説明】
【技術分野】
【０００１】
本発明は電子書籍の等級分け方法に係り、審査基準により電子書籍を審査し、少なくとも一つのデジタル標示を該電子書籍中の対応する少なくとも一つのデジタルページにリンクさせ、該デジタルページと共に再生する、電子書籍の等級分け方法に関する。
【背景技術】
【０００２】
書籍を電子化することで、保存流通に便利とする方法は、最も古くは、１９７０年代のプロジェクト・グーテンベルクに遡ることができ、このプロジェクトは、ボランティアにより著作権保護期間の過ぎた書籍或いは文章を編集可能なデジタル形式で電子化し、並びに開放して自由にダウンロードと流通が行えるようにし、現在までに４万書籍近い電子ファイルが蓄積されている。近年、省エネと二酸化炭素削減の環境保護意識が台頭するにつれ、ペーパーレスの電子書籍産業は次第に各界で重視されるようになり、二酸化炭素削減に関係するコペンハーゲン合意の範囲にも加えられたことは、電子書籍産業の有力な背景となっている。
【０００３】
さらに、インターネットが発展し、電子ファイル形式での知識伝送の方式及びクラウドサービスの普及により、消費者は次第にネットワークを通して紙でない文字にアクセスしてそれを読むことに慣れてきており、このような消費者の習慣の変化は電子書籍産業に良好な発展空間をもたらし、前述した「プロジェクト・グーテンベルク」ＨＰ等の無料で著作権保護期間の過ぎた電子書籍を閲覧できる以外に、現在では多くの大型オンラインブックショップも、伝統的な紙の書籍のオンライン販売業務以外に、電子書籍の販売も行っており、消費者の電子書籍に対する要求の成長を垣間見ることが出来る。
【０００４】
このほか、ポータブル電子製品の開発により電子書籍はデスクトップ型コンピュータの制限を受けなくなり、電子書籍専用のリーダー或いはその他のポータブル電子製品、たとえば、スマートフォン、ポータブルマルチメディアプレイヤー、フラットパネルコンピュータ等を介して開くことができるようになり、ポータブル電子製品の出現は、大幅に電子書籍と伝統的な紙書籍の利便性の差を縮め、さらに電子書籍の発展に有利となっている。
【０００５】
しかし、電子書籍産業が次第に成熟するにつれ、大量の電子書籍が簡単に取得及び閲覧できるようになり、児童及び青少年読者の精神及び台湾法令＜出版品及びビデオ番組の等級分け方法＞中の、「出版物を発行、供給する者は、本章の規定により、出版物の発行、供給前に、自己等級分けを行わねばならない。」及び「制限等級の出版物は、表紙に『制限等級：１８歳未満の者の視聴禁止』と明示しなければならない」等の規定に基づき、自己規範を実行し、電子書籍の出版社或いは供給会社は電子書籍を等級分けし標示し、児童及び青少年の心身の健全な発展を促進すると共に、その視聴の権益を保障している。
【０００６】
また、電子書籍の複製と伝送の技術的ハードルは比較的低いが、任意に複製して電子書籍をインターネット経由で散布する行為は、電子書籍の著作権所有者の権益を侵害することになる。ゆえに、電子書籍に著作権宣告と警告を加えて、読者に周知徹底させ、違法アップロード、コピー散布等の行為を防止することで、著作権所有者の権益の侵害と法律による追求を防ぐことができる。
【発明の概要】
【発明が解決しようとする課題】
【０００７】
本発明の目的は、電子書籍の等級分け方法を提供し、審査基準により電子書籍の内容に対して審査し該電子書籍の等級類別を判定できるようにすることにある。
【０００８】
本発明の目的は、電子書籍の等級分け方法を提供し、少なくとも一つのデジタル標示を該電子書籍中の少なくとも一つのデジタルページにリンクさせて、該デジタル標示を閲覧時に該デジタルページと同時に再生させ、これにより読者に提示できるようにすることにある。
【０００９】
本発明の目的は、電子書籍の等級分け方法を提供し、その具備するデジタル標示が視覚形式、聴覚形式の方式で読者、保護者に提示できるようにする。
【課題を解決するための手段】
【００１０】
上述の目的を達成するため、本発明は電子書籍の分類方法を提供する。それは、電子書籍を取得して該電子書籍を記憶装置に保存するステップ、少なくとも一つの判定基準値を包含する審査基準を設定し、該判定基準値により複数の判定セクションを画定するステップ、プロセッサで該電子書籍の内容を該判定基準値に対照して該電子書籍をそのうち一つの判定セクションに帰属させるステップ、入力装置で該判定セクションに対応する少なくとも一つのデジタル標示を編集し並びにこれらのデジタル標示を該記憶装置に保存するステップ、該デジタル標示を該電子書籍ないの少なくとも一つのデジタルページにリンクさせることにより、リーダーで該電子書籍を読み取る時、該デジタル標示を該デジタルページに伴い同時に再生させるステップを包含する。
【００１１】
該審査基準は、出版社或いは供給会社の必要により設定され、等級分け基準、著作権判断基準、或いは分類基準とされ、並びに、等級分け基準値、著作権基準値、或いは児童書籍分類基準値を定義して対応する複数の判定セクションを画定し、並びに該審査基準に合わせ、該デジタル標示に等級分け情報、著作権宣告或いは分類メッセージを包含させ、これにより本発明を電子書籍の等級分け、著作権判断或いは分類に利用する。
【００１２】
該デジタル標示はまた警告標語或いは提示メッセージを包含し得て、それにより読者に該電子書籍の該審査基準による区分の結果及び出版社或いは供給会社が読者に告知したいメッセージ、たとえば該電子書籍の複製或いは伝送の法律責任或いは該電子書籍に適合する年齢層等を提示する。
【００１３】
本発明が画定するデジタル標示は、透かし、ページヘッダー、ページフッター、ページフレーム等の視覚形式、音声提示の聴覚形式を包含し得て、読者が該デジタル標示にリンクされた該デジタルページを閲読する時、該デジタルページと該デジタル標示を同時に再生して、読者、保護者に提示し、電子書籍の等級分けによる児童と青少年の閲読の権益を保障し、電子書籍の著作権を宣告し、出版社或いは供給会社のメッセージ伝達の効果を達成する。
【００１４】
このほか、複数の電子書籍はその内のデジタルページにリンクしたこれらのデジタル標示により少なくとも一つのデジタル本棚に区分され、これによりこれら電子書籍に対する管理陳列が行える。
【発明の効果】
【００１５】
本発明は電子書籍の等級分け方法を提供する、電子書籍を取得して記憶装置に保存し、少なくとも一つの判定基準値を包含する審査基準を設定し、該判定基準値により複数の判定セクションを画定し、プロセッサで該電子書籍の内容を該判定基準値に対照して該電子書籍をそのうち一つの判定セクションに帰属させ、入力装置で該判定セクションに対応する少なくとも一つのデジタル標示を編集しこれらのデジタル標示を該記憶装置に保存し、該デジタル標示を該電子書籍ないの少なくとも一つのデジタルページにリンクさせることにより、読者がリーダーで該電子書籍を読み取る時、該デジタル標示が該デジタルページに伴い同時に再生されて、これにより読者に周知徹底させることができる効果を達成する。
【００１６】
該審査基準は、出版社、供給会社の必要により設定され、等級分け基準、著作権判断基準、分類基準とされ、該審査基準に対応する該デジタル標示は、等級分け情報、著作権宣告分類メッセージとされ、出版社或いは供給会社の必要により警告標語或いは提示メッセージが注記され、これにより、出版社或いは供給会社が読者に告知したい等級分けメッセージ、著作権メッセージ、分類メッセージ或いはその他のメッセージを伝達する。
【００１７】
該デジタル標示は透かし、ページヘッダー、ページフッター、ページフレーム等の視覚形式デジタル標示とされるほか、音声提示を含む聴覚形式のデジタル標示とされて、読者、保護者に周知徹底させることができる。このほか、該デジタル標示はまた複数の電子書籍の等級分けの根拠とされて、これらの電子書籍を少なくとも一つの電子書棚に区分し、これにより異なる等級、異なる著作権、異なる分類の複数の電子書籍を区分して管理陳列することができる。
【図面の簡単な説明】
【００１８】
【図１】本発明の第１実施例の実施ステップ図である。
【図２】本発明の第１実施例の素子関係表示図である。
【図３】本発明の第２実施例の実施ステップ図である。
【図４】本発明の第２実施例の素子関係表示図である。
【図５】本発明の第３実施例の実施ステップ図である。
【図６】本発明の第３実施例の素子関係表示図である。
【図７】本発明の第４実施例のデジタル標示である。
【発明を実施するための形態】
【００１９】
本発明の技術内容、構造特徴、達成する目的を詳細に説明するため、以下に実施例を挙げ並びに図面を組み合わせて説明する。
【００２０】
本発明の電子書籍の等級分け方法の特色は以下のとおりである。出版社或いは供給会社の必要により審査基準を設定し、電子書籍の内容を審査し、該電子書籍を少なくとも一つの判定基準値に照らして判定セクションに帰属させ、該判定セクションに対応するデジタル標示を該電子書籍の少なくとも一つのデジタルページにリンクさせ、読者がリーダーで該電子書籍を読み取る時、該デジタル標示が該デジタルページと同時に再生されるようにし、これにより読者に、該デジタル標示が該審査基準により帰属させられた判定セクションの結果を提示警告する。
【００２１】
該デジタル標示は視覚或いは音声形式とされて、等級分け情報、著作権宣告、分類メッセージなど審査基準による審査の結果を包含し得るほか、警告標語或いは提示メッセージが加えられてもよい。該デジタル標示は読者に提示する機能のほか、出版社、供給会社がこれら電子書籍を少なくともデジタル本棚に区分して管理陳列するためのツールとされる。
【００２２】
まず図１及び図２を参照されたい。本発明の第１実施例の実施ステップ図及び素子関係表示図である。図１に示されるように、本発明の電子書籍の等級分け方法のステップは以下のとおりである。
ＳＴ１１：電子書籍を取得して該電子書籍を記憶装置に保存する。
ＳＴ１２：等級分け基準を設定し、該等級分け基準は、少なくとも一つの判定基準値及び該判定基準値により画定された二つの判定セクションを包含するものとし、該判定基準値は等級分け基準値とし、該二つの判定セクションはそれぞれ一般等級セクションと制限等級セクションとする。
ＳＴ１３：プロセッサで該等級分け基準値と該電子書籍の内容を照らし合わせ、該電子書籍を該一般等級セクション或いは該制限等級セクションに帰属させる。
ＳＴ１４：入力装置で該一般等級セクション或いは該制限等級セクションに対応する少なくとも一つのデジタル標示を編集し、並びに該デジタル標示を該記憶装置に保存する。
ＳＴ１５：該デジタル標示を該電子書籍内の少なくとも一つのデジタルページにリンクさせ、該デジタルページを、リーダーで該デジタルページが読み取られる時に、同時に再生されるようにする。
ＳＴ１６：これらデジタル標示でこれら電子書籍を少なくとも一つのデジタル本棚に区分する。
【００２３】
図２に示されるように、供給会社は３つの電子書籍、すなわち、第１電子書籍１１、第２電子書籍１２、及び第３電子書籍１３を入手する。そのうち、該第１電子書籍１１は第１デジタル表紙１１０、第１の１デジタルページ１１１、第１の２デジタルページ１１２、及び第１の３デジタルページ１１３の、合計４つのデジタルページを包含する。該第２電子書籍１２は第２デジタル表紙１２０、第２の１デジタルページ１２１、第２の２デジタルページ１２２の、合計３つのデジタルページを包含する。該第３電子書籍１３は第３デジタル表紙１３０、第３の１デジタルページ１３１、第３の２デジタルページ１３２、第３の３デジタルページ１３３の、合計４つのデジタルページを包含し、これら電子書籍１１、１２及び１３は記憶装置２１に保存される。
【００２４】
供給会社は等級分け基準Ｓ１を審査基準として設定し、該等級分け基準Ｓ１は判定基準値Ｖ１、及び該判定基準値Ｖ１により画定された二つの判定セクションＲ１、Ｒ２を包含する。該判定基準値Ｖ１は、等級分け基準値Ｖ１とされ、該二つの判定セクションは、それぞれ一般等級セクションＲ１と制限等級セクションＲ２とされる。該等級分け基準値Ｖ１は、電子書籍中の詳細な暴力、犯罪、色情を記述した文字の、電子書籍の記述全体に占める比率が零であることを示し、もし、一つの電子書籍中の詳細な暴力、犯罪、色情を記述した文字の、電子書籍の記述全体に占める比率が該等級分け基準値Ｖ１に等しければ、該電子書籍は該一般等級セクションＲ１に帰属し、もし、電子書籍中の詳細な暴力、犯罪、色情を記述した文字の、電子書籍の記述全体に占める比率が該等級分け基準値Ｖ１より大きければ、該電子書籍は該制限等級セクションＲ２に帰属する。
【００２５】
供給会社は、プロセッサ７１で該等級分け基準値Ｖ１とこれら電子書籍１１、１２と１３の内容を対比し、該第１電子書籍１１を一般等級セクションＲ１に帰属させ、並びに該第２電子書籍１２と該第３電子書籍１３を制限等級セクションＲ２に帰属させる。
【００２６】
供給会社は並びに入力装置８１で該一般等級セクションＲ１と該制限等級セクションＲ２に対応する３種類の等級分けメッセージＴ３１０、Ｔ３２０及びＴ３２２を編集してデジタル標示となす。そのうち、一般等級表紙標示Ｔ３１０と制限等級表紙標示Ｔ３２０は視覚形式のデジタル標示に属し、この制限等級ページ標示Ｔ３２２は提示音声とされ、聴覚形式のデジタル標示に属し、並びにこれらデジタル標示Ｔ３１０、Ｔ３２０及びＴ３２２は該記憶装置２１に保存される。前述の等級分け結果により、供給会社は該一般等級標示Ｔ３１０を該第１デジタル表紙１１０にリンクさせ、該制限等級表紙標示Ｔ３２０を該第２デジタル表紙１２０と該第３デジタル表紙１３０にリンクさせ、該制限等級ページ標示Ｔ３２２を該第３の１デジタルページ１３１、該第３の２デジタルページ１３２及び該第３の３デジタルページ１３３にリンクさせる。
【００２７】
供給会社はこれらデジタル標示Ｔ３１０、Ｔ３２０及びＴ３２２を利用して、これら電子書籍１１、１２及び１３を二つのデジタル本棚３１と３２に区分し、該第１電子書籍１１は一般等級デジタル本棚３１に包含させ、並びに該第２電子書籍１２と該第３電子書籍１３は制限等級デジタル本棚３２に包含させ、供給会社がこれら電子書籍１１、１２及び１３を管理陳列するのに便利としている。
【００２８】
読者が該第１電子書籍１１を選択し、リーダー４１で該第１デジタル表紙１１０を読み取る時、該一般等級表紙標示Ｔ３１０はすなわち同期して再生表示され、読者に、該第１電子書籍１１が一般等級に属することを知らせる。読者が該第２電子書籍１２或いは該第３電子書籍１３を選択し、リーダー４１で該第２デジタル表紙１２０或いは該第３デジタル表紙１３０を読み取る時、該制限等級表紙標示Ｔ３２０は同期して再生表示され、読者に該第２電子書籍１２或いは該第３電子書籍１３が制限等級に属することを知らせ、読者が続いて第３電子書籍１３を捲り、該第３の１デジタルページ１３１、該第３の２デジタルページ１３２或いは該第３の３デジタルページ１３３を読み取る時、該制限等級ページ標示Ｔ３２２はすなわち、これらデジタルページ１３１、１３２或いは１３３が読み取られると同期して再生され、聴覚形式で読者に、制限等級の電子書籍を読んでいることを知らせる。
【００２９】
ゆえに、該等級分け基準Ｓ１は供給会社の等級分けの必要に合わせて設定され、これら電子書籍１１、１２及び１３の審査と等級分けの基準とされ、該等級分け基準値Ｖ１でこれら電子書籍１１、１２及び１３が判定されて該一般等級セクションＲ１或いは該制限等級セクションＲ２に帰属させられ、これら等級分けメッセージＴ３１０、Ｔ３２０及びＴ３２２が編集され該第１デジタル表紙１１０、該第２デジタル表紙１２０と該第３デジタル表紙１３０及び該第３の１から第３の３デジタルページ１３１〜１３３にリンクされ、これにより読者がこれらのデジタルページを読み取ると同時に等級分けメッセージＴ３１０、Ｔ３２０或いはＴ３２２が再生されることで、読者にこれら電子書籍１１、１２及び１３の等級分け結果を知らせる。そのうち、該制限等級ページ標示Ｔ３２２は聴覚形式で再生され、未成年読者の保護者に対して良好なアラート作用を達成する。
【００３０】
図３及び図４は本発明の第２実施例の実施ステップ図及び素子関係表示図である。図３に示されるように、本発明の電子書籍の等級分け方法は以下のステップを包含する。
ＳＴ２１：電子書籍を取得して該電子書籍を記憶装置に保存する。
ＳＴ２２：著作権判断基準を設定し、該著作権判断基準は、少なくとも一つの判定基準値及び該判定基準値により画定された二つの判定セクションを包含するものとし、該判定基準値は著作権基準値とし、該二つの判定セクションはそれぞれ著作権開放セクションと甲出版社著作権セクションとする。
ＳＴ２３：プロセッサで該著作権基準値と該電子書籍の内容を照らし合わせ、該電子書籍を該著作権開放セクション或いは該甲出版社著作権セクションに帰属させる。
ＳＴ２４：入力装置で該著作権開放セクション或いは該甲出版社著作権セクションに対応する少なくとも一つのデジタル標示を編集し、並びに該デジタル標示を該記憶装置に保存する。
ＳＴ２５：該デジタル標示を該電子書籍内の少なくとも一つのデジタルページにリンクさせ、該デジタルページを、リーダーで該デジタルページが読み取られる時に、同時に再生されるようにする。
ＳＴ２６：これらデジタル標示でこれら電子書籍を少なくとも一つのデジタル本棚に区分する。
【００３１】
図４に示されるように、供給会社は３つの電子書籍、第４電子書籍１４、第５電子書籍１５、及び第６電子書籍１６を入手する。そのうち、該第４電子書籍１４は第４デジタル表紙１４０、第４の１デジタルページ１４１、第４の２デジタルページ１４２の、合計３つのデジタルページを包含する。該第５電子書籍１５は第５デジタル表紙１５０、第５の１デジタルページ１５１、第５の２デジタルページ１５２及び第５の３デジタルページ１５３の、合計４つのデジタルページを包含する。該第６電子書籍１６は第６デジタル表紙１６０、第６の１デジタルページ１６１、第６の２デジタルページ１６２、第６の３デジタルページ１６３、及び第６の４デジタルページ１６４の、合計５つのデジタルページこれら電子書籍１４、１５及び１６は記憶装置２２に保存される。
【００３２】
供給会社は著作権判断基準Ｓ２を審査基準として設定し、該著作権判断基準Ｓ２は二つの判定基準値Ｖ２１、Ｖ２２と、該二つの判定基準値Ｖ２１、Ｖ２２により画定された二つの判定セクションＲ３、Ｒ４を包含する。該二つの判定基準値Ｖ２１、Ｖ２２は、二つの著作権基準値Ｖ２１、Ｖ２２とされ、該二つの判定セクションは、それぞれ著作権開放セクションＲ３と甲出版社著作権セクションＲ４とされる。該著作権基準値Ｖ２１は電子書籍の著作権値が零であることを指し、該電子書籍の著作財産権が既に消滅していることを代表する。もし、電子書籍の著作権値が該著作権基準値Ｖ２１に等しければ、該電子書籍は該著作権開放セクションＲ３に帰属する。また該著作権基準値Ｖ２２は電子書籍の著作権値が１であることを指し、該電子書籍の著作財産権が甲出版社に属することを代表し、もし、電子書籍の著作権値がＶ２２に等しければ、その電子書籍は該甲出版社著作権セクションＲ４に帰属する。
【００３３】
供給会社はプロセッサ７２で該二つの著作権基準値Ｖ２１、Ｖ２２とこれら電子書籍１４、１５及び１６の内容を対比し、該第６電子書籍１６を著作権開放セクションＲ３に帰属させ、該並びに該第４電子書籍１４と該第５電子書籍１５を甲出版社著作権セクションＲ４に帰属させる。
【００３４】
供給会社は並びに入力装置７２で該著作権開放セクションＲ３と該甲出版社著作権セクションＲ４に対応する３種類のデジタル標示Ｔ３３０、Ｔ３４０及びＴ３４２を編集する。そのうち、二つの著作権宣告Ｔ３３０とＴ３４０はそれぞれ著作権開放標示Ｔ３３０と甲出版社著作権標示Ｔ３４０とされ、警告標語Ｔ３４２は「著作権所有、侵害は追求される」との標記とされ、これら三つのデジタル標示Ｔ３３０、Ｔ３４０及びＴ３４２は該記憶装置２２に保存される。
【００３５】
前述の著作権判断の結果により、供給会社は該著作権開放標示Ｔ３３０を該第６デジタル表紙１６０にリンクさせ、該甲出版社著作権標示Ｔ３４０を該第４デジタル表紙１４０と該第５デジタル表紙１５０にリンクさせ、並びに該警告標語Ｔ３４２を該第４の１デジタルページ１４１、第４の２デジタルページ１４２、該第５の１デジタルページ１５１、該第５の２デジタルページ１５２及び該第５の３デジタルページ１５３にリンクさせる。
【００３６】
供給会社はこれらデジタル標示Ｔ３３０、Ｔ３４０及びＴ３４２を利用して、これら電子書籍１４、１５及び１６を二つのデジタル本棚３３と３４に区分し、該第６電子書籍１６は著作権開放デジタル本棚３３に包含させ、該第５電子書籍１５と該第４電子書籍１４は甲出版社著作権デジタル本棚３４に包含させ、供給会社がこれら電子書籍１４、１５及び１６を管理陳列するのに便利としている。
【００３７】
読者が該第４電子書籍１４、該第５電子書籍１５を選択し、リーダー４２で該第４デジタル表紙１４０或いは該第５デジタル表紙１５０を読み取る時、該甲出版社著作権標示Ｔ３４０は同期して再生表示され、読者に、該第４電子書籍１４、該第５電子書籍１５の著作財産権が甲出版社に属することを知らせる。読者が続いて該第４電子書籍１４、該第５電子書籍１５を捲り、該第４の１デジタルページ１４１、該第４の２デジタルページ１４２、該第５の１デジタルページ１５１、該第５の２デジタルページ１５２、第５の３デジタルページ１５３を読み取る時、該警告標語Ｔ３４２は、これらデジタルページ１４１、１４２、１５１、１５２或いは１５３が読み取られると同期して再生され、読者に、該第４電子書籍１４、該第５電子書籍１５の著作財産権が甲出版社に属し、もし該第４電子書籍１４、該第５電子書籍１５の著作財産権を侵害すれば甲出版社による責任追及を受けることを知らせる。
【００３８】
読者が該第６電子書籍１６を選択し、リーダー４２で該第６デジタル表紙１６０を読み取る時、該著作権開放標示Ｔ３３０は同期して再生表示され、読者に、該第６電子書籍１６の著作権が既に消滅し、合法的に自己利用できることを知らせる。
【００３９】
該著作権判断基準Ｓ２は、供給会社、出版社の著作権判断及び宣告の必要に合わせて設定され、これら電子書籍１４、１５及び１６の審査並びに区分の基準とされ、該二つの著作権基準値Ｖ２１、Ｖ２２でこれら電子書籍１４、１５及び１６が該著作権開放セクションＲ３或いは該甲出版社著作権セクションＲ４のいずれに帰属するのかを判定し、デジタル標示Ｔ３３０、Ｔ３４０及びＴ３４２が編集され該第６デジタル表紙１６０、該第４デジタル表紙１４０と該第５デジタル表紙１５０及び該第４の１から第４の２デジタルページ１４１〜１４２と該第５の１から第５の３デジタルページ１５１〜１５３にリンクされ、これにより読者がこれらのデジタルページを読み取る時に、同時にデジタル標示Ｔ３３０、Ｔ３４０或いはＴ３４２が再生されることで、読者にこれら電子書籍１４、１５及び１６の著作権の帰属を知らせる。そのうち、該警告標語Ｔ３４２は読者が該二つの電子書籍１４及び１５の著作権を侵害しており、法律による責任を負うことになることを知らせる。
【００４０】
図５及び図６は本発明の第３実施例の実施ステップ図及び素子関係表示図である。図５に示されるように、本発明の電子書籍の等級分け方法は以下のステップを包含する。
ＳＴ３１：スキャナで実体書籍を走査して電子書籍を取得し、該電子書籍を記憶装置に保存する。
ＳＴ３２：児童書分類基準を設定し、該児童書分類基準は、少なくとも一つの判定基準値及び該判定基準値により画定された二つの判定セクションを包含するものとし、該判定基準値は児童書分類基準値とされ、該二つの判定セクションはそれぞれ児童絵本セクションと児童読み物セクションとする。
ＳＴ３３：プロセッサで該児童書分類基準値と該電子書籍の内容を照らし合わせ、該電子書籍を該児童絵本セクション、該児童読み物セクションに帰属させる。
ＳＴ３４：入力装置で該児童絵本セクション或いは該児童読み物セクションに対応する少なくとも一つのデジタル標示を編集し、並びに該デジタル標示を該記憶装置に保存する。
ＳＴ３５：該デジタル標示を該電子書籍内の少なくとも一つのデジタルページにリンクさせ、該デジタルページを、リーダーで該デジタルページが読み取られる時に、同時に再生されるようにする。
ＳＴ３６：これらデジタル標示でこれら電子書籍を少なくとも一つのデジタル本棚に区分する。
【００４１】
図６に示されるように、供給会社は第１実体書籍５１、第２実体書籍５２及び第３実体書籍５３の、合計３冊の実体書籍をスキャナで走査し、第７電子書籍１７、第８電子書籍１８、及び第９電子書籍１９を入手する。そのうち、該第７電子書籍１７は第７デジタル表紙１７０、第７の１デジタルページ１７１、第７の２デジタルページ１７２の、合計３つのデジタルページを包含する。該第８電子書籍１８は第８デジタル表紙１８０、第８の１デジタルページ１８１、第８の２デジタルページ１８２、第８の３デジタルページ１８３及び第８の４デジタルページ１８４の、合計５つのデジタルページを包含する。該第９電子書籍１９は第９デジタル表紙１９０、第９の１デジタルページ１９１、第９の２デジタルページ１９２、第９の３デジタルページ１６３の、合計４つのデジタルページを包含し、これら電子書籍１７、１８及び１９は記憶装置２３に保存される。
【００４２】
これら実体書籍５１、５２及び５３を走査してこれら電子書籍１７、１８及び１９を取得した後、出版社は児童書分類基準Ｓ３を審査基準として設定し、該児童書分類基準Ｓ３は一つの判定基準値Ｖ３と、該判定基準値Ｖ３により画定された二つの判定セクションＲ５、Ｒ６を包含する。該判定基準値Ｖ３は、児童書分類基準値Ｖ３とされ、該二つの判定セクションは、それぞれ児童絵本セクションＲ５と児童読み物セクションＲ６とされる。該児童書分類基準値Ｖ３は、児童書に属する電子書籍中の図画が全書籍版面に占める比率が５０％であることを指し、もし、児童書に属する電子書籍中の図画の全書籍版面に占める比率が該児童書分類基準値Ｖ３よりも大きければ、該電子書籍は児童絵本セクションＲ５に帰属し、もし、児童書に属する電子書籍中の図画の全書籍版面に占める比率が該児童書分類基準値Ｖ３以下であれば、該電子書籍は児童読み物セクションＲ６に帰属する。
【００４３】
出版社はプロセッサ７３で該児童書分類基準値Ｖ３とこれら電子書籍１７、１８及び１９の内容を対比し、該第７電子書籍１７と該第８電子書籍１８を児童絵本セクションＲ５に帰属させ、該第９電子書籍１９を児童読み物セクションＲ６に帰属させる。
【００４４】
出版社は入力装置８３で該児童絵本セクションＲ５と該児童読み物セクションＲ６に対応する３種類のデジタル標示Ｔ３５０、Ｔ３５３及びＴ３６０を編集する。そのうち、二つの分類メッセージＴ３５０とＴ３６０はそれぞれ児童絵本標示Ｔ３５０と児童読み物標示Ｔ３６０とされ、該提示メッセージＴ３５２は「学齢前の幼児の閲読に適合する」と標記し、これら三つのデジタル標示Ｔ３５０、Ｔ３５２及びＴ３６０は、いずれも視覚形式のデジタル標示とされ、並びにこれらデジタル標示Ｔ３５０、Ｔ３５２及びＴ３６０は該記憶装置２３に保存される。
【００４５】
前述の児童書分類結果により、出版社は該児童絵本標示Ｔ３５０を該第７デジタル表紙１７０と該第８デジタル表紙１８０にリンクさせ、該提示メッセージＴ３５２を該第７の１デジタルページ１７１と該第７の２デジタルページ１７２にリンクさせ、並びに該児童読み物標示Ｔ３６０を該第９デジタル表紙１９０にリンクさせる。
【００４６】
出版社はこれらデジタル標示Ｔ３５０、Ｔ３５２及びＴ３６０を利用し、これら電子書籍１７、１８及び１９を二つのデジタル本棚３５と３６に区分し、該第７電子書籍１７と該第８電子書籍１８は児童絵本デジタル本棚３５に包含させ、該第９電子書籍１９は児童読み物デジタル本棚３６に包含させ、出版社がこれら電子書籍１７、１８及び１９を管理陳列するのに便利としている。
【００４７】
読者が該第７電子書籍１７或いは該第８電子書籍１８を選択し、リーダー４３で該第７デジタル表紙１７０或いは該第８デジタル表紙１８０を読み取る時、該児童絵本標示Ｔ３５０は同期して再生表示され、読者に、該第７電子書籍１７或いは該第８電子書籍１８が児童絵本に属することを知らせる。読者が続いて該第７電子書籍１７を捲り、該第７の１デジタルページ１７１、該第７の２デジタルページ１７２を読み取る時、該提示メッセージＴ３５２が同期して再生標示され、読者に該第７電子書籍１７が学齢前幼児の閲読に適していることを提示する。読者が該第９電子書籍１９を選択し、リーダー４３で該第９デジタル表紙１９０を読み取る時、該児童読み物標示Ｔ３６０が同期して再生表示され、読者に該第９電子書籍１９が児童読み物に属することを知らせる。
【００４８】
ゆえに、該分類基準Ｓ３は出版社の分類の必要に応じて設定され、これら電子書籍１７、１８及び１９の審査及び分類基準とされ、該児童書分類標準値Ｖ３はこれら電子書籍１７、１８及び１９が該児童絵本セクションＲ５或いは該児童読み物セクションＲ６のいずれに帰属するのかの判定に用いられ、これら等級分けメッセージＴ３５０、Ｔ３５２及びＴ３６０が編集されそれぞれ該第７デジタル表紙１７０と該第８デジタル表紙１８０、該第７の１から第７の２デジタルページ１７１〜１７２及び該第９デジタル表紙１９０にリンクされ、これにより読者がこれらデジタルページを読み取る時に、同時に等級分けメッセージＴ３５０、Ｔ３５２或いはＴ３６０が再生され、これにより読者にこれら電子書籍１７、１８及び１９の分類結果を提示する。
【００４９】
図７を参照されたい。本発明の第４実施例のデジタル標示表示図である。本発明の電子書籍の等級分け方法のデジタルページ１００は複数のデジタル標示Ｔ３７１、Ｔ３７２、Ｔ３７３、Ｔ３７４及びＴ３７５を有し、それらは透かしＴ３７１、ヘッダーＴ３７２、フッターＴ３７３、ページフレームＴ３７４及び提示音声Ｔ３７５を包含する。
【００５０】
そのうち、該透かしＴ３７１、該ヘッダーＴ３７２、該フッターＴ３７３及び該ページフレームＴ３７４は視覚形式のデジタル標示とされ、該デジタルページ１００と同時に再生表示されて読者に提示される。該提示音声Ｔ３７５は聴覚形式のデジタル標示とされ、該デジタルページ１００と同時に再生されて読者に提示される。
【００５１】
これらデジタル標示Ｔ３７１、Ｔ３７２、Ｔ３７３、Ｔ３７４及びＴ３７５の設置により、読者が該デジタルページ１００を読み取る時に、同時にこれらＴ３７１、Ｔ３７２、Ｔ３７３、Ｔ３７４及びＴ３７５が包含する視覚或いは聴覚メッセージを得ることができる。
【００５２】
本発明は電子書籍の等級分け方法であり、電子書籍を取得して該電子書籍を記憶装置に保存し、必要により審査基準を設定し、該審査基準は少なくとも一つの判定基準値と該判定基準値により画定された複数の判定セクションを包含し、該審査基準により該電子書籍を審査し、該判定基準値と対比してそのうち一つの判定セクションに帰属させ、該判定セクションに合わせて少なくとも一つのデジタル標示を編集し、並びにこれらデジタル標示を該記憶装置に保存し、該デジタル標示を該電子書籍内の少なくとも一つのデジタルページにリンクさせて、読者がリーダーで該電子書籍を読み取る時に、該デジタル標示が該デジタルページに伴い同時に再生される。電子書籍はまた、デジタル標示により少なくとも一つのデジタル本棚に区分され、電子書籍の管理陳列に供される。
【００５３】
本発明は電子書籍の等級分け、著作権判断及び分類に利用され、並びに視覚形式、聴覚形式のデジタル標示を電子書籍の等級分け情報、著作権宣告及び分類メッセージとする。
【００５４】
本発明は新規性、進歩性及び産業上の利用価値を有し、特許の要件に符合する。
【００５５】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００５６】
１１    第１電子書籍
１１０  第１デジタル表紙（デジタルページ）
１１１  第１の１デジタルページ
１１２  第１の２デジタルページ
１１３  第１の３デジタルページ
１２    第２電子書籍
１２０  第２デジタル表紙（デジタルページ）
１２１  第２の１デジタルページ
１２２  第２の２デジタルページ
１３    第３電子書籍
１３０  第３デジタル表紙（デジタルページ）
１３１  第３の１デジタルページ
１３２  第３の２デジタルページ
１３３  第３の３デジタルページ
１４    第４電子書籍
１４０  第４デジタル表紙（デジタルページ）
１４１  第４の１デジタルページ
１４２  第４の２デジタルページ
１５    第５電子書籍
１５０  第５デジタル表紙（デジタルページ）
１５１  第５の１デジタルページ
１５２  第５の２デジタルページ
１５３  第５の３デジタルページ
１６    第６電子書籍
１６０  第６デジタル表紙（デジタルページ）
１６１  第６の１デジタルページ
１６２  第６の２デジタルページ
１６３  第６の３デジタルページ
１６４  第６の４デジタルページ
１７    第７電子書籍
１７０  第７デジタル表紙（デジタルページ）
１７１  第７の１デジタルページ
１７２  第７の２デジタルページ
１８    第８電子書籍
１８０  第８デジタル表紙（デジタルページ）
１８１  第８の１デジタルページ
１８２  第８の２デジタルページ
１８３  第８の３デジタルページ
１８４  第８の４デジタルページ
１９    第９電子書籍
１９０  第９デジタル表紙（デジタルページ）
１９１  第９の１デジタルページ
１９２  第９の２デジタルページ
１９３  第９の３デジタルページ
１００  デジタルページ
２１    記憶装置（第１実施例）
２２    記憶装置（第２実施例）
２３    記憶装置（第３実施例）
３１    一般等級デジタル本棚
３２    制限等級デジタル本棚
３３    著作権開放デジタル本棚
３４    甲出版社著作権デジタル本棚
３５    児童絵本デジタル本棚
３６    児童読み物デジタル本棚
４１    リーダー（第１実施例）
４２    リーダー（第２実施例）
４３    リーダー（第３実施例）
５１    第１実体書籍
５２    第２実体書籍
５３    第３実体書籍
６      スキャナ
７１    プロセッサ（第１実施例）
７２   プロセッサ（第２実施例）
７３   プロセッサ（第３実施例）
８１   入力装置（第１実施例）
８２   入力装置（第２実施例）
８３   入力装置（第３実施例）
Ｒ１   一般等級セクション（判定セクション）
Ｒ２   制限等級セクション（判定セクション）
Ｒ３   著作権開放セクション（判定セクション）
Ｒ４   甲出版社著作権セクション（判定セクション）
Ｒ５   児童絵本セクション（判定セクション）
Ｒ６   児童読み物セクション（判定セクション）
Ｓ１   等級分け基準（審査基準）
Ｓ２   著作権判断基準（審査基準）
Ｓ３   児童書分類基準（審査基準）
Ｔ３１０  一般等級表紙標示（デジタル標示）
Ｔ３２０  制限等級表紙標示（デジタル標示）
Ｔ３２２  制限等級ページ標示（デジタル標示）
Ｔ３３０  著作権開放標示（デジタル標示）
Ｔ３４０  甲出版社著作権標示（デジタル標示）
Ｔ３４２  警告標語（デジタル標示）
Ｔ３５０  児童絵本標示（デジタル標示）
Ｔ３５２  児童読み物標示（デジタル標示）
Ｔ３６０  提示メッセージ（デジタル標示）
Ｔ３７１  透かし（デジタル標示）
Ｔ３７２  ヘッダー（デジタル標示）
Ｔ３７３  フッター（デジタル標示）
Ｔ３７４  ページフレーム（デジタル標示）
Ｔ３７５  提示音声（デジタル標示）
Ｖ１      等級分け基準値（判定基準値）
Ｖ２１  著作権基準値（判定基準値）
Ｖ２２  著作権基準値（判定基準値）
Ｖ３    児童書分類基準値（判定基準値）
ＳＴ１１  実施ステップ１（第１実施例）
ＳＴ１１  実施ステップ１（第１実施例）
ＳＴ１２  実施ステップ２（第１実施例）
ＳＴ１３  実施ステップ３（第１実施例）
ＳＴ１４  実施ステップ４（第１実施例）
ＳＴ１５  実施ステップ５（第１実施例）
ＳＴ１６  実施ステップ６（第１実施例）
ＳＴ２１  実施ステップ１（第２実施例）
ＳＴ２２  実施ステップ２（第２実施例）
ＳＴ２３  実施ステップ３（第２実施例）
ＳＴ２４  実施ステップ４（第２実施例）
ＳＴ２５  実施ステップ５（第２実施例）
ＳＴ２６  実施ステップ６（第２実施例）
ＳＴ３１  実施ステップ１（第３実施例）
ＳＴ３２  実施ステップ２（第３実施例）
ＳＴ３３  実施ステップ３（第３実施例）
ＳＴ３４  実施ステップ４（第３実施例）
ＳＴ３５  実施ステップ５（第３実施例）
ＳＴ３６  実施ステップ６（第３実施例）
【図１】
0005429907.tif 000002
【図２】
0005429907.tif 000003
【図３】
0005429907.tif 000004
【図４】
0005429907.tif 000005
【図５】
0005429907.tif 000006
【図６】
0005429907.tif 000007
【図７】
0005429907.tif 000008